(57)【要約】【課題】最適な温度環境で就寝者の安眠を維持すると共に、習慣的にトイレに行くタイミングには、その経路も暖冷房可能で、かつ、省エネ可能なこと。【解決手段】就寝者Ｍが布団に寝ているときには、循環ポンプ１５によって、熱交換器１７で加温または冷却された媒体を寝床内に第１媒体通路Ａで循環させる。これによって、就寝者Ｍが布団に寝ているときの布団内の環境温度を最適にすることができる。また、このとき、前記寝床内に第１媒体通路Ａで媒体を循環させるものであるから、布団から自然に放熱されたり、人体に吸収されたりする熱エネルギを補充すればよいから省エネ効果がある。そして、就寝者Ｍの起床の状態を検出して、第１媒体通路Ａから寝床外のトイレ２０の方向へとつながる床面に沿って媒体を排出する第２媒体通路Ｂに切り替えるものであるから、寝床外のトイレ２０方向への環境温度を最適にすることもできる。【選択図】図２
2007244782.tif 000002
【特許請求の範囲】
【請求項１】
所定温度に調温された媒体が循環して寝床内の温度を所定値に調整する第１媒体通路と、
前記寝床とトイレ空間との間の通路の床面に沿って配設された第２媒体通路と、
前記寝床内の温度及び／または前記媒体の温度を検出する温度センサと、
前記温度センサの検出結果に依拠して前記媒体の温度を制御すると共に、就寝者が前記寝床から起床したときに前記媒体を第２媒体通路に供給する制御手段と
を具備することを特徴とする寝床内温度制御装置。
【請求項２】
前記制御手段は、前記就寝者の睡眠の状態を検出して、前記寝床内の温度を調整することを特徴とする請求項１に記載の寝床内温度制御装置。
【請求項３】
前記制御手段による前記就寝者の起床状態の検出は、前記寝床に配設された複数の温度センサのばらつき及び／または温度差によって行うことを特徴とする請求項２に記載の寝床内温度制御装置。
【請求項４】
前記制御手段による前記就寝者の起床状態の検出は、前記寝床の前記就寝者の状態の画像によって行うことを特徴とする請求項２に記載の寝床内温度制御装置。
【請求項５】
前記制御手段による前記就寝者の起床状態の検出は、前記寝床に配設された複数の温度センサのばらつき及び／または温度差並びに前記寝床の前記就寝者の状態の画像によって行うことを特徴とする請求項２に記載の寝床内温度制御装置。
【請求項６】
前記制御手段は、前記就寝者が前記寝床から起床したときに前記媒体を第２媒体通路に供給すると同時に、前記媒体が前記第１媒体通路を循環するのを停止することを特徴とする請求項１または請求項２に記載の寝床内温度制御装置。
【請求項７】
前記熱交換器で調温された媒体は、空気または水としたことを特徴とする請求項１乃至請求項６のいずれか１つに記載の寝床内温度制御装置。
【請求項８】
前記第１媒体通路は、調温された媒体を通す合成樹脂管がマットレスの内部を蛇行して配置されていることを特徴とする請求項１乃至請求項７のいずれか１つに記載の寝床内温度制御装置。
【請求項９】
前記第１媒体通路は、調温された媒体が掛布団の袋体から吹き出すことを特徴とする請求項１乃至請求項７のいずれか１つに記載の寝床内温度制御装置。
【請求項１０】
前記第２媒体通路は、調温された暖房マットとしたことを特徴とする請求項１乃至請求項９のいずれか１つに記載の寝床内温度制御装置。
【請求項１１】
前記制御手段は、前記第１媒体通路に介設されたポンプと前記媒体と熱交換することにより前記媒体の温度を調温する暖冷房機と、前記ポンプ及び前記暖冷房機の下流側に配設された電磁弁装置とを備え、前記就寝者の起床時に前記第１媒体通路から前記第２媒体通路への前記媒体の供給切り換えを、前記電磁弁装置によって行うことを特徴とする請求項１乃至請求項１０のいずれか１つに記載の寝床内温度制御装置。
【請求項１２】
前記第１媒体通路と前記第２媒体通路の切り換えを行う電磁弁装置は、前記第１媒体通路内にて前記ポンプ及び前記暖冷房機の下流側に配設された第１電磁弁と、前記ポンプ及び前記暖冷房機の下流側で、前記第１電磁弁との間の前記第２媒体通路の一端に配設された第２電磁弁からなることを特徴とする請求項１１に記載の寝床内温度制御装置。
【請求項１３】
前記第１電磁弁と第２電磁弁は、前記媒体が前記第１媒体通路と前記第２媒体通路を同時に循環しないようにしたことを特徴とする請求項１２に記載の寝床内温度制御装置。
【請求項１４】
前記制御手段は、前記第１媒体通路に介設されたポンプと前記媒体と熱交換することにより前記媒体の温度を調温する暖冷房機と、前記ポンプ及び前記暖冷房機の上流側に配設された電磁弁装置とを備え、前記就寝者の起床時に前記第１媒体通路から前記第２媒体通路への前記媒体の供給切り換えを、前記電磁弁装置によって行うことを特徴とする請求項１乃至請求項１１のいずれか１つに記載の寝床内温度制御装置。
【請求項１５】
前記第１媒体通路と前記第２媒体通路の切り換えを行う電磁弁装置は、前記第１媒体通路内にて前記ポンプ及び前記暖冷房機の上流側に配設された第３電磁弁と、前記ポンプ及び前記暖冷房機の上流側で、前記第３電磁弁との間の前記第２媒体通路の一端に配設された第４電磁弁からなることを特徴とする請求項１４に記載の寝床内温度制御装置。
【請求項１６】
前記第３電磁弁と第４電磁弁は、前記媒体が前記第１媒体通路と前記第２媒体通路を同時に循環しないようにしたことを特徴とする請求項１５に記載の寝床内温度制御装置。
【発明の詳細な説明】
【技術分野】
【０００１】
本発明は、布団やマットレス内部に空気または湯水等からなる媒体の通路を形成し、その媒体通路に温風または冷風、湯水を供給して就寝環境を最適な状態にする寝床内温度制御装置に関するものである。
【背景技術】
【０００２】
従来の寝床内温度制御装置として特許文献１の発明がある。特許文献１の寝床内温度制御装置は、温度センサによって就寝空間の温度を検出し、設定温度に対する就寝空間の温度に対応させてヒータ出力を増減させ、これにより供給される温風の温度が変化し、就寝空間の温度が制御される。一方、湿度センサによって就寝空間の湿度を検出し、設定湿度に対する就寝空間の湿度に対応させてファンによる送風量を増減させ、湿度が高い場合は送風量を増加させ、湿度が低い場合は送風量を減少させると、送風によって排除される水分量が加減され就寝空間の湿度が調節される技術思想を開示するものである。
【０００３】
また、従来の寝床内温度制御装置として特許文献２の発明がある。即ち、特許文献２の寝床内温度制御装置は、布団内に置かれる布団内機と、布団外に置かれる布団外機と、布団内機と布団外機とに接続され空気の通路となる接続通路とを備え、布団内機は、複数個の通気孔が形成された通気通路及びこの通気通路に装着された通気性を有するカバー部を有し、布団外機は、外気を取り入れる給気機構、接続通路を介して布団内機に空気を送る送風機構及び布団内機に送る空気の温度調整を行う温度調整機構を有し、空調機付きベッドのように特殊なベッドや特殊な敷き布団を用いることなく使用できるようにした技術思想を開示している。
【特許文献１】特許第３６３３９７７号
【特許文献２】特開平１１−３１３７３１
【発明の開示】
【発明が解決しようとする課題】
【０００４】
上記特許文献１の寝床内温度制御装置は、布団内部に送風通路を形成し、それにファンとヒータを備えた温風機から温風を送り込み、その温風を吹き出すことにより快適な寝床内温度にするものである。しかし、送り込む空気が温風であるが、老人のように１晩に何度もトイレに行く人には、布団内部の温度に対してその布団の外部の温度が低いことから、再度寝付くことができなくなり、トイレの寒さのために血管が急激に収縮して、血圧が急激敵に上昇し、脳内出血を生じる危険性がある。また、布団内部の温度制御を行うものの、夏等暑いときに冷やした空気を送り込むことができないから、夏場の使用には不適であった。
また、上記特許文献２の寝床内温度制御装置は、外気を取り込んで温度調節して吹き出させるため、布団外の温度も制御されるが、外気の温度が低いとそれを暖めるために多くのエネルギを必要とし、また、外気の温度が高いとそれを冷やすのに多くのエネルギを必要とし、省エネルギという観点からみると問題がある。
【０００５】
そこで、この発明はかかる不具合を解決するためになされたもので、最適な温度環境で就寝者の安眠を維持すると共に、習慣的にトイレに行くタイミングには、その経路も暖冷房可能で、かつ、省エネ可能な寝床内温度制御装置の提供を課題とするものである。
【課題を解決するための手段】
【０００６】
請求項１にかかる寝床内温度制御装置は、所定温度に調温された媒体が循環して寝床内の温度を所定値に調整する第１媒体通路と、前記寝床とトイレ空間との間の通路の床面に沿って配設された第２媒体通路と、前記寝床内の温度及び／または前記媒体の温度を検出する温度センサと、前記温度センサの検出結果に依拠して前記媒体の温度を制御すると共に、就寝者が前記寝床から起床したときに前記媒体を第２媒体通路に供給する制御手段とを具備するものである。
所定温度に調温された媒体は、冷媒を用いて熱交換する熱交換機によって調温された媒体でも、ピエゾ素子等の半導体素子、ヒートポンプ等によって熱交換されるものでもよい。また、本発明を実施する場合の第１媒体通路は、熱交換器で加温または冷却された媒体を寝床内に吹き出すものと収集するもの、そのまま媒体を循環するもの等、熱交換器で加温または冷却された媒体が温度を伝えるものであればよく、その形態及びその配設状態を問うものではない。
更に、上記第２媒体通路は、加温または冷却された媒体を、第１媒体通路とは別に、寝床外のトイレ方向へとつながる床面に沿って媒体を供給するものである。また、上記制御手段は、寝床内の温度及び／または前記熱交換器から排出された温度を検出する温度センサの出力によって、前記媒体の温度を制御するものである。また、必要に応じて、就寝者の起床の状態を検出して、前記第２媒体通路に切り替える機能を有するものである。なお、就寝者の起床の状態の検出は、前記温度を検出する温度センサを用いて行ってもよいが、別に用意した画像処理または音響検出によって検出してもよい。また、両者を使用してもよい。何れにせよ、就寝者の起床の状態が正確に検出できればよい。
【０００７】
請求項２にかかる寝床内温度制御装置の前記制御手段は、就寝者の睡眠の状態を検出して、生理学的に前記寝床内の温度を調整するものである。例えば、就寝者が浅い睡眠の場合には温度が高く、深い睡眠に入ったとき、温度を低く制御するものである。
【０００８】
請求項３にかかる寝床内温度制御装置の前記制御手段による前記就寝者の起床状態の検出は、前記寝床に配設された複数の温度センサのばらつき及び／または温度差によって行うものである。このときの複数の温度センサは、少なくとも１個は安定な温度を検出する位置に配設され、それらとの温度の違いによって、掛布団の掛けられた状態から判断され、その結果、起床が判断できればよい。
【０００９】
請求項４にかかる寝床内温度制御装置の前記制御手段による前記就寝者の起床状態の検出は、前記寝床の前記就寝者の状態の画像によって行うものである。ここで、前記就寝者の起床状態の検出は、画像の登録に前記就寝者の寝姿または起床状態を登録し、その一致または掛布団の状態等から判断するものであればよい。
【００１０】
請求項５にかかる寝床内温度制御装置の前記制御手段による前記就寝者の起床状態の検出は、前記寝床に配設された複数の温度センサのばらつき及び／または温度差並びに前記寝床の前記就寝者の状態の画像によって行うものである。ここで、少なくとも１個は安定な温度を検出する位置に配設され、それらとの温度の違いによって、掛布団の掛けられた状態、そうでない状態が判断され、また、画像によって、画像の登録に前記就寝者の寝姿または起床状態を登録し、その一致または掛布団の状態等から判断するものであり、信頼性を高めることができればよい。
【００１１】
請求項６にかかる寝床内温度制御装置の前記制御手段は、前記就寝者が前記寝床から起床したときに前記媒体を第２媒体通路に供給すると同時に前記媒体が前記第１媒体通路を循環するのを停止するものである。ここで、前記就寝者が前記寝床から起床したときには前記第１媒体通路の調温は不要となるから、無駄な温度制御を行わないで効率のいい制御を行うものである。
【００１２】
請求項７にかかる寝床内温度制御装置の前記熱交換器で調温された媒体は、空気または水としたものである。
【００１３】
請求項８にかかる寝床内温度制御装置の前記第１媒体通路は、調温された媒体を通す合成樹脂管がマットレスの内部を蛇行して配置されている。ここで、合成樹脂管がマットレスの内部を蛇行は、全面を蛇行させてもよいし、全体の８０〜５０％程度の中央部とすることができる。
【００１４】
請求項９にかかる寝床内温度制御装置の前記第１媒体通路は、調温された媒体が掛布団の袋体から吹き出すものである。ここで、掛布団の袋体は、合成樹脂製または布製とすることができる。特に、空気を調温媒体とするものであるから、その織布密度及び袋体の数量を問うものではない。
【００１５】
請求項１０にかかる寝床内温度制御装置の前記第２媒体通路は、調温された暖房マットとしたものである。ここで、暖房マットは所定のサイズのものを１枚または特定サイズのものを複数枚設置する形態でもよい。
【００１６】
請求項１１にかかる寝床内温度制御装置の前記制御手段は、前記第１媒体通路に介設されたポンプ及び前記媒体と熱交換することにより前記媒体の温度を調温する暖冷房機と、前記ポンプ及び前記暖冷房機の下流側に配設された電磁弁装置とを備え、前記就寝者の起床時に前記第１媒体通路から前記第２媒体通路への前記媒体の供給切り換えを、前記電磁弁装置によって行うものである。ここで、前記電磁弁装置は、前記第１媒体通路と前記第２媒体通路との切り換えを行う切換弁を用いてもよいし、開閉弁によって前記第１媒体通路と前記第２媒体通路との切り換えを行うようにしてもよい。
【００１７】
請求項１２にかかる寝床内温度制御装置の前記第１媒体通路と前記第２媒体通路との切り換えを行う電磁弁装置は、前記第１媒体通路内にて前記ポンプ及び前記暖冷房機の下流側に配設された第１電磁弁と、前記ポンプ及び前記暖冷房機の下流側で、前記第１電磁弁との間の前記第２媒体通路の一端に配設された第２電磁弁からなるものである。
【００１８】
請求項１３にかかる寝床内温度制御装置の前記第１電磁弁と第２電磁弁は、前記媒体が前記第１媒体通路と前記第２媒体通路を同時に循環しないようにしたものである。
【００１９】
請求項１４にかかる寝床内温度制御装置の前記制御手段は、前記第１媒体通路に介設されたポンプ及び前記媒体と熱交換することにより前記媒体の温度を調温する暖冷房機と、前記ポンプ及び前記暖冷房機の上流側に配設された電磁弁装置とを備え、前記就寝者の起床時に前記第１媒体通路から前記第２媒体通路への前記媒体の供給切り換えを、前記電磁弁装置によって行うものである。ここで、前記電磁弁装置は、前記第１媒体通路と前記第２媒体通路との切り換えを行う切換弁を用いてもよいし、開閉弁によって前記第１媒体通路と前記第２媒体通路との切り換えを行うようにしてもよい。
【００２０】
請求項１５にかかる寝床内温度制御装置の前記第１媒体通路と前記第２媒体通路との切り換えを行う電磁弁装置は、前記第１媒体通路内にて前記ポンプ及び前記暖冷房機の上流側に配設された第３電磁弁と、前記ポンプ及び前記暖冷房機の上流側で、前記第３電磁弁との間の前記第２媒体通路の一端に配設された第４電磁弁からなるものである。
【００２１】
請求項１６にかかる寝床内温度制御装置の前記第３電磁弁と第４電磁弁は、前記媒体が前記第１媒体通路と前記第２媒体通路を同時に循環しないようにしたものである。
【発明の効果】
【００２２】
請求項１にかかる寝床内温度制御装置は、所定温度に調温された媒体が循環して寝床内の温度を所定値に調整する第１媒体通路と、前記寝床とトイレ空間との間の通路の床面に沿って配設された第２媒体通路とを具備し、前記寝床内の温度及び／または前記媒体の温度を検出する温度センサの検出結果に依拠して前記媒体の温度を制御すると共に、就寝者が前記寝床から起床したときに前記媒体を第２媒体通路に供給するものである。
したがって、就寝者が布団に寝ているときには、調温された媒体を寝床内に第１媒体通路で循環させる。これによって、就寝者が布団に寝ているときの布団内の環境温度を最適にすることができる。また、このとき、前記寝床内に前記第１媒体通路で媒体を循環させるものであるから、布団から自然に放熱されたり、人体に吸収されたりする熱エネルギを補充すればよいから省エネ効果がある。そして、就寝者の起床の状態を検出して、前記第１媒体通路から寝床外のトイレ方向へとつながる床面に沿って媒体を供給する第２媒体通路に切り替えるものであるから、寝床外のトイレ方向への環境温度を最適にすることもできる。よって、就寝者の安眠を維持することができ、習慣的にトイレに行くタイミングには、その経路も暖冷房でき、しかも、省エネとすることができ、就寝者が再び寝床に戻って直ぐに睡眠に入ることができる。
【００２３】
請求項２にかかる寝床内温度制御装置の前記制御手段は、就寝者の睡眠の状態を検出して、前記寝床内の温度を生理学的な環境として調整するものであるから、請求項１に記載の効果に加えて、人間の生理学的特性に合致した温度制御が可能となる。結果、就寝者Ｍの睡眠の状態を検出して、寝床内の温度を生理学的な環境として調整するものであるから、人間の生理学的特性に合致し、生活のリズムを狂わせることがない。
【００２４】
請求項３にかかる寝床内温度制御装置の前記制御手段による前記就寝者の起床状態の検出は、前記寝床に配設された複数の温度センサのばらつき及び／または温度差によって行うものであるから、請求項１に記載の効果に加えて、コスト的に廉価な処理を行うことができる。また、当該温度センサを寝具に装着しても違和感のない状態に設定できる。
【００２５】
請求項４にかかる寝床内温度制御装置の前記制御手段による前記就寝者の起床状態の検出は、前記寝床の前記就寝者の状態の画像によって行うものであるから、請求項２に記載の効果に加えて、寝床の状態を正確に検出することができる。
【００２６】
請求項５にかかる寝床内温度制御装置の前記制御手段による前記就寝者の起床状態の検出は、前記寝床に配設された複数の温度センサのばらつき及び／または温度差並びに前記寝床の前記就寝者の状態の画像によって行うものであるから、請求項２に記載の効果に加えて、複数の温度センサ及び前記就寝者の状態の画像によって起床状態を判断するものであるから、信頼性の高い検出を行うことができる。
【００２７】
請求項６にかかる寝床内温度制御装置の前記制御手段は、前記就寝者が前記寝床から起床したときに前記媒体を第２媒体通路に供給すると同時に前記媒体が前記第１媒体通路を循環するのを停止するものであるから、請求項１または請求項２に記載の効果に加えて、無駄な調温を行うことなく制御を行うことができる。また、就寝者の起床の温度を低下させることなく、寝床外のトイレ方向へ環境温度を最適にすることもできる。
【００２８】
請求項７にかかる寝床内温度制御装置の前記熱交換器で調温された媒体は、空気または水としたものであるから、請求項１乃至請求項６のいずれか１つに記載の効果に加えて、特殊な媒体を使用するものでないので、環境汚染することがない。
【００２９】
請求項８にかかる寝床内温度制御装置の前記第１媒体通路は、調温された媒体を通す合成樹脂管がマットレスの内部を蛇行して配置されているものであるから、請求項１乃至請求項７のいずれか１つに記載の効果に加えて、任意の面積を効率よく調温することができる。
【００３０】
請求項９にかかる寝床内温度制御装置の前記第１媒体通路は、調温された媒体が掛布団の袋体から吹き出すものであるから、請求項１乃至請求項７のいずれか１つに記載の効果に加えて、掛布団が自然な使用状態で使用でき、かつ、吹き出す空気圧によって、掛布団の重みが実質的に軽量化されるから、老人及び病人にとって好適な構成となる。
【００３１】
請求項１０にかかる寝床内温度制御装置の前記第２媒体通路は、調温された暖房マットとしたものであるから、請求項１乃至請求項９のいずれか１つに記載の効果に加えて、施工状態において違和感のない状態となり、来客があっても不自然さがない。
【００３２】
請求項１１にかかる寝床内温度制御装置の前記制御手段は、前記第１媒体通路に介設されたポンプ及び前記媒体と熱交換することにより前記媒体の温度を調温する暖冷房機と、前記ポンプ及び前記暖冷房機の下流側に配設された電磁弁装置とを備え、前記就寝者の起床時に前記第１媒体通路から前記第２媒体通路への前記媒体の供給切り換えを、前記電磁弁装置によって行うものであるから、請求項１乃至請求項１０のいずれか１つに記載の効果に加えて、前記就寝者の起床からトイレ（トイレ空間）に向かうまでのタイムラグを使用して効率のよい、調温制御を行うことができる。
【００３３】
請求項１２にかかる寝床内温度制御装置の前記第１媒体通路と前記第２媒体通路の切り換えを行う電磁弁装置は、前記第１媒体通路内にて前記ポンプ及び前記暖冷房機の下流側に配設された第１電磁弁と、前記ポンプ及び前記暖冷房機の下流側で、前記第１電磁弁との間の前記第２媒体通路の一端に配設された第２電磁弁によって行うものであるから、請求項１１に記載の効果に加えて、その切り換えのタイミングを任意に設定することができる。
【００３４】
請求項１３にかかる寝床内温度制御装置の前記第１電磁弁と第２電磁弁は、前記媒体が前記第１媒体通路と前記第２媒体通路を同時に循環しないようにしたものであるから、請求項１２に記載の効果に加えて、エネルギ効率のよい運転が可能である。
【００３５】
請求項１４にかかる寝床内温度制御装置の前記制御手段は、前記第１媒体通路に介設されたポンプ及び前記媒体と熱交換することにより前記媒体の温度を調温する暖冷房機と、前記ポンプ及び前記暖冷房機の上流側に配設された電磁弁装置とを備え、前記就寝者の起床時に前記第１媒体通路から前記第２媒体通路への前記媒体の供給切り換えを、前記電磁弁装置によって行うものであるから、請求項１乃至請求項１１のいずれか１つに記載の効果に加えて、前記就寝者の起床からトイレ（トイレ空間）に向かうまでのタイムラグを使用して効率のよい、調温制御を行うことができる。また、請求項１１と組み合わせたものでは、信頼性を高めることができる。
【００３６】
請求項１５にかかる寝床内温度制御装置の前記第１媒体通路と前記第２媒体通路の切り換えを行う電磁弁装置は、前記第１媒体通路内にて前記ポンプ及び前記暖冷房機の上流側に配設された第３電磁弁と、前記ポンプ及び前記暖冷房機の上流側で、前記第３電磁弁との間の前記第２媒体通路の一端に配設された第４電磁弁によって行うものであるから、請求項１４に記載の効果に加えて、その切り換えのタイミングを任意に設定することができる。
【００３７】
請求項１６にかかる寝床内温度制御装置の前記第３電磁弁と第４電磁弁は、前記媒体が前記第１媒体通路と前記第２媒体通路を同時に循環しないようにしたものであるから、請求項１５に記載の効果に加えて、エネルギ効率のよい運転が可能である。
【発明を実施するための最良の形態】
【００３８】
[実施の形態１]
以下、本発明の実施の形態について、図面に基づいて説明する。
図１は本発明の実施の形態１における寝床内温度制御装置の使用状態を示す全体の説明図、図２は本発明の実施の形態１における寝床内温度制御装置の全体構成図、図３は本発明の実施の形態１における寝床内温度制御装置の制御回路が制御する制御プログラムである。
【００３９】
図１乃至図３において、ベッド１及びそこに設置されているマットレス２は公知の構造のものであり、また、敷布団３及び掛布団４には、空気配管等の配管が内蔵、接続されている。敷布団３は、敷布団３の中央部付近の上面の空気を吸引するために、空気の通過しやすい生地によって、その上面が形成されている。なお、空気の通過しやすい箇所は、敷布団３の中央部付近の寝た状態の人体付近であるので、それ以外の場所は、内側に重ねる生地によって空気の通過性のよくないものを使用している。この敷布団３の中央部付近は、本実施の形態の空気を収集する収集部１２を構成している。具体的には、収集部１２は、特定の開口を意味するものではなく、上面に存在する空気が吸引できる構造であればよい。
【００４０】
掛布団４には、空気を寝床内に吹き出す吹出部１１が配設されている。吹出部１１は下面に複数の噴出孔を形成した袋体１１ａが、綿、羽根等の中に内蔵されており、袋体１１ａに穿設した複数の噴出孔から空気が吹き出すようになっている。
この寝床内温度制御装置のベッド１の下部に配設した寝床内温度制御装置本体９は、ポンプ１５及び熱交換機１７によって熱交換する暖冷房機１６及び第１媒体通路Ａと第２媒体通路Ｂとの供給切り換えを行う制御手段１０とそのハウジングから構成されている。
寝床内温度制御装置本体９との接続は、制御手段１０との間の端部にコネクタを接続した各フレキシブル配管１３またはフレキシブル配管１４によって接続されている。また、ベッド１にはマイクロホン５及び／またはＣＣＤカメラが配設されており、就寝者の睡眠状態または起きた状態を音声及び／または画像で検出できるようになっている。そして、掛布団４には複数個の温度センサ６が配設されており、温度センサ６によっても掛布団４が捲り上げられることによって、温度センサ６の検出値が急変するから、それをもって、掛布団４の捲り上げを判断することもできる。
ここで、就寝者Ｍの体調や個人差によって、一般的に適温と思われている温度でも、寒く、或いは暑く感じることがある。そのため、予め、暑いと感じている時の体動や寝息、及び寒いと感じている時の体動や寝息から発する音を、制御回路１９に記憶しておき、マイクロホン５で検知した音と比較し、何れかの音と判断したときには、冷暖する温度を微調整する。そして、夜中にトイレ２０に起きることがあるが、暖かいあるいは涼しい寝床内から起きてトイレ２０に行くのは眠気を覚まし、高齢者の場合は特に寒い場合、ヒートショックにより脳内出血等で死に至る場合もある。そこで、暖房する場合、人が起き上がったこと、あるいは掛布が上げられたことを検知して、第１媒体通路Ａの寝床内空調系の制御から第２媒体通路Ｂの寝床外空調系の制御に切り替え、ベッド１からトイレ（トイレ空間）２０までの経路に沿うように配設されている寝床外環境管路１８に切り替えることによりトイレ２０までの道のりを暖かくすることができる。
【００４１】
本実施の形態１の寝床内温度制御装置の制御手段１０は、次のように構成されている。
まず、所定の冷媒を熱交換器１７に通して熱交換を行う公知のコンプレッサ内蔵の暖冷房機１６を有している。本発明を実施する場合の暖冷房機１６として、コンプレッサで冷媒を圧縮する技術で説明するが、本発明を実施する場合には、ピエゾ効果素子等の半導体、ヒートポンプ等の熱交換技術が使用できる。
【００４２】
熱交換器１７の一方には、収集部１２がフレキシブル配管１４及びバタフライバルブ等のバルブＶ3（第３電磁弁）を介して接続されている。また、熱交換器１７の他方には、寝床の温度を加温または冷却する媒体である空気を送出する循環ポンプ１５及びバルブＶ1（第１電磁弁）、フレキシブル配管１３を介して吹出部１１に接続されている。ここで、バルブＶ3は収集部１２側の開閉を行い、また、バルブＶ1は吹出部１１側の開閉を行う。これら熱交換器１７、循環ポンプ１５、バルブＶ1、フレキシブル配管１３、吹出部１１、並びに収集部１２、フレキシブル配管１４、バルブＶ3、熱交換器１７の経路は、寝床内空調系を形成し、本実施の形態の熱交換器１７で加温または冷却された媒体を寝床内に導き、寝床内の温度を調節して回収され、再度、熱交換器１７側に循環される第１媒体通路Ａを構成している。
なお、本実施の形態の第１媒体通路Ａにおいては、吹出部１１と収集部１２は、１００％の効率を有していないが、本発明を実施する場合には、完全な効率に限定されるものではなく、循環系を形成できるものであればよい。
【００４３】
また、バルブＶ3と熱交換器１７との間には、バルブＶ4（第４電磁弁）を配設し、バルブＶ4を開くことによって外気が導入できるようになっている。また、循環ポンプ１５とバルブＶ1との間には、バルブＶ2（第２電磁弁）を介して熱交換器１７で加温または冷却された空気が、寝床外の簡易トイレを含むトイレ２０方向へとつながる床面に沿って空気を排出される寝床外環境管路１８に供給されるように接続されている。
【００４４】
バルブＶ3及びバルブＶ1を閉じ、バルブＶ4及びバルブＶ2を開くことによって、外気がバルブＶ4、熱交換器１７を介して、循環ポンプ１５で送出され、バルブＶ2を介してトイレ２０方向へとつながる床面に沿って空気を排出される寝床外環境管路１８に加温または冷却された空気が供給される。
これらバルブＶ4、熱交換器１７、循環ポンプ１５、バルブＶ2によって、トイレ２０方向へとつながる床面に沿って空気を排出される寝床外環境管路１８に加温または冷却された空気が供給される寝床外空調系を形成している。このバルブＶ4によって室内空気を取り入れ、熱交換器１７、循環ポンプ１５、バルブＶ2によって、トイレ２０方向へとつながる床面に沿って空気を排出される寝床外環境管路１８は、本実施の形態の第２媒体通路Ｂを構成している。
【００４５】
また、寝床外環境管路１８は、熱交換器１７で加温または冷却された媒体を、第１媒体通路Ａとは別に設けられた寝床外のトイレ２０の方向へとつながる床面に沿って配設し、前記媒体を供給するものであり、合成樹脂管に所定の間隔で小孔を穿設したものを使用しているが、本実施の形態ではこの形態に限定されるものではなく、室内空気を循環し、スポット的に空調できるものであってもよい。
なお、本実施の形態の第２媒体通路Ｂにおいては、バルブＶ4によって取り入れる室内空気は、再度室内空間に寝床外環境管路１８から供給されるが、ここにおいても、本発明を実施する場合には、完全な効率に限定されるものではなく、寝床外空調系のように循環系を形成できるものであればよい。
【００４６】
本実施の形態では説明を省略するが、バルブＶ3及びバルブＶ2を閉じ、バルブＶ1及びバルブＶ4を開くことによって、室内空気がバルブＶ4、熱交換器１７を介して、循環ポンプ１５で送出され、バルブＶ1を介して寝床の温度を加温または冷却する媒体である空気を吹出部１１に供給することができる。この制御は、寝床内を加温している際の除湿機能として働かせることができる。勿論、敷布団３及び掛布団４の乾燥機能として付与することもできる。
また、バルブＶ1及びバルブＶ4を閉じ、バルブＶ3及びバルブＶ2を開くことによって、寝床が温源となり、バルブＶ3、熱交換器１７を介して、循環ポンプ１５で送出され、寝床外環境管路１８に供給する空気の温度を急激に変化させることができる。即ち、応答性をよくすることができる。
なお、本実施の形態では、バタフライバルブからなるバルブＶ3及びバルブＶ1、バルブＶ4、バルブＶ2を用いているが、本発明を実施する場合には、バルブＶ3及びバルブＶ4、バルブＶ2またはバルブＶ1及びバルブＶ4、バルブＶ2とすることができる。
【００４７】
制御回路１９は、暖冷房機１６との間で暖房運転または冷房運転を行うかの指示を出し、かつ、その運転を行う。ベッド１に配設されたマイクロホン５及び／またはＣＣＤカメラからの就寝者Ｍが存在するか否かの信号及び温度センサ６の出力を見て、掛布団４が捲（まく）られた状態であるかを判断し、掛布団４が捲られておれば、就寝者Ｍが起きようとしていると判断する。逆に、掛布団４が掛けられておれば、就寝者Ｍが寝ていると判断する。その判断結果に基づいて、バルブＶ3及びバルブＶ1を開、バルブＶ4及びバルブＶ2を閉とする信号、また、バルブＶ3及びバルブＶ1を閉、バルブＶ4及びバルブＶ2を開とする信号を出力する。
【００４８】
本実施の形態の寝床内温度制御装置の制御回路１９は、マイクロコンピュータで次のように制御される。
まず、このルーチンは、就寝者Ｍが就寝する５〜１０分程度前に電源スイッチＳＷを投入することを前提としている。このルーチンは、スイッチＳＷの投入によって立ち上がるものである。
【００４９】
スイッチＳＷの投入によってこのルーチンが立ち上がると、ステップＳ１で温度センサ６の情報から寝床の設定温度を確認し、所定の温度範囲内にあるか、否かを判断する。所定の温度範囲内にないとき、ステップＳ２で暖冷房機１６を動作状態とし、ステップＳ３で就寝者Ｍが寝床に寝ている状態にあるか否かを判断する。就寝者Ｍが寝床に寝ている状態（睡眠に入っているか否かを問うものではない）にあるかを判断して、ステップＳ３で就寝者Ｍが寝床に寝ていないと判断したとき、ステップＳ１乃至ステップＳ３で寝床の設定温度を所定の温度範囲内に維持する制御を寝床内空調系で行う。
【００５０】
詳しくは、熱交換器１７を動作させ、循環ポンプ１５によってバルブＶ1及びフレキシブル配管１３を経て吹出部１１から所定の温度の空気を吹き出させる。そして、収集部１２で布団内の空気を集めて、フレキシブル配管１４及びバルブＶ3を介して熱交換器１７に循環する経路である第１媒体通路Ａを形成し、寝床内をこの寝床内空調系によって、所望の温度に維持する。
ステップＳ３で就寝者Ｍが寝床についたと判断すると、ステップＳ４で第１媒体通路Ａのもとで「睡眠温度制御モード」に入る。「睡眠温度制御モード」では、その就寝者Ｍが日常の睡眠が３〜４時間程度に１度トイレ２０に行く行動をとるとすれば、その間の睡眠状態に応じて寝床の温度を生理学的に良好な温度に制御するものである。例えば、浅い睡眠（ノンレム睡眠）状態では、寝床の温度を高くし、深い睡眠（レム睡眠）状態では寝床の温度を低くする。
【００５１】
ステップＳ５で就寝者Ｍが起床したか否かを温度センサ６によって検出する。即ち、就寝者Ｍが掛布団４を捲って起床すると、その状態が温度センサ６によって検出される。勿論、ベッド１に配設されたマイクロホン５の音声信号及び／またはＣＣＤカメラからの画像信号でもそれらは判断できる。ステップＳ５で就寝者Ｍが掛布団４を捲って起床に至ってないと判断するとき、ステップＳ６で就寝者Ｍが寝床に入った後の経過時間を測定し、トイレ２０に行くまでの時間であるタイマ設定時間Ｔ1の経過を判断する。タイマ設定時間Ｔ1を経過していないとき、ステップＳ４乃至ステップＳ６のルーチンを繰り返し実行する。
【００５２】
ステップＳ５で就寝者Ｍが掛布団４を捲って起床したと判断したとき、ステップＳ７で「起床制御モード」に入る。この「起床制御モード」では、バルブＶ4を開として室内空気を導入し、熱交換器１７及び循環ポンプ１５を動作させて所定の加温または冷却を行い、バルブＶ2を介して寝床外環境管路１８に加温または冷却された空気を供給する第２媒体通路Ｂを形成し、寝床外のトイレ２０の方向へとつながる床面に沿って熱交換器１７を通過した空気を寝床外環境管路１８から供給する。
【００５３】
そして、「起床制御モード」に入ってから、通常、寝床の温度が低下しない程度の時間に設定するタイマ設定時間Ｔ2を経過しているか否かをステップＳ８で判断し、ステップＳ８でタイマ設定時間Ｔ2を経過してないと判断すると、ステップＳ１０で寝床に戻って寝ている状態であるか否かを判断し、就寝者Ｍが寝床についているとき、このルーチンを脱する。
しかし、ステップＳ８で「起床制御モード」に入ってから、寝床の温度が低下しない程度の時間を設定したタイマ設定時間Ｔ2の経過を判断したとき、または、ステップＳ５で就寝者Ｍの起床を判断することなく、ステップＳ６でタイマ設定時間Ｔ1を経過したと判断したとき、ステップＳ９で「中間制御モード」に入る。
【００５４】
この「中間制御モード」は、バルブＶ3及びバルブＶ1を開、バルブＶ4及びバルブＶ2を閉とし、熱交換器１７、循環ポンプ１５によって寝床に空調空気を供給する第１媒体通路Ａと、バルブＶ3及びバルブＶ1を閉、バルブＶ4及びバルブＶ2を開とし、寝床外環境管路１８による加温または冷却された空気を供給する第２媒体通路Ｂとの運転を交互に行うモードである。このモードによって、寝床の温度の変化及び寝床外のトイレ２０方向へとつながる床面付近の温度を所望の温度範囲内として維持することができる。
【００５５】
この「中間制御モード」において、ステップＳ１０で就寝者Ｍが寝床についている状態であるか否かを判断し、就寝者Ｍが寝床についていないとき、ステップＳ１１で就寝者Ｍの安否を問う時間に設定したタイマ設定時間Ｔ3の経過を判断する。就寝者Ｍの安否を問う時間に設定したタイマ設定時間Ｔ3の経過前であるとき、ステップＳ９で中間制御に入り、ステップＳ９乃至ステップＳ１１のルーチンの処理を繰り返し行う。
しかし、ステップＳ１１でタイマ設定時間Ｔ3を経過していると判断したとき、就寝者Ｍが寝床につくのが遅すぎるので、ステップＳ１２で警報を発して、第三者に就寝者Ｍが寝床に戻る時間が遅すぎる旨を報知して、このルーチンを脱する。
【００５６】
このように、本実施の形態１における寝床内温度制御装置は、媒体の温度を加温または冷却する熱交換器１７と、熱交換器１７で加温または冷却された前記媒体を寝床内に吹き出す吹出部１１と、寝床内に吹出部１１から吹き出した前記媒体を収集する収集部１２と、収集部１２と熱交換器１７と吹出部１１との間に配設され、熱交換器１７を介して収集部１２から吹出部１１へと前記媒体を循環させる循環ポンプ１５と、熱交換器１７で加温または冷却された前記媒体は、寝床内に吹き出す第１媒体通路Ａの吹出部１１とは別に設けた寝床外のトイレ２０の方向へとつながる床面に沿って前記媒体を供給する第２媒体通路Ｂと、寝床内の温度及び／または熱交換器１７から排出された温度を検出する温度センサ６と、温度センサ６の出力によって熱交換器１７を介して循環される媒体の温度を制御すると共に、就寝者Ｍの起床の状態を検出して第１媒体通路Ａから第２媒体通路Ｂに切り替える制御手段１０とを具備するものである。
【００５７】
媒体の温度を加温または冷却する熱交換器１７で加温または冷却された前記媒体を寝床内に吹出部１１から吹き出し、寝床内に吹出部１１から吹き出した前記媒体を収集部１２で収集する第１媒体通路Ａにおいて、循環ポンプ１５は収集部１２と熱交換器１７と吹出部１１との間の第１媒体通路Ａに配設され、熱交換器１７を介して収集部１２から吹出部１１へと媒体を循環させる寝床内空調系にある。制御手段１０は、寝床内の温度及び／または熱交換器１７から排出された温度を検出する温度センサ６の出力によって、熱交換器１７を介して循環される媒体の温度を制御すると共に、就寝者Ｍの起床の状態を検出して、第１媒体通路Ａから寝床外のトイレ２０の方向へとつながる床面に沿って媒体を供給する寝床外環境管路１８を有する第２媒体通路Ｂに切り替える。
【００５８】
したがって、就寝者Ｍが布団に寝ているときには、循環ポンプ１５によって、熱交換器１７で加温または冷却された媒体を寝床内に吹出部１１から吹き出し、寝床内に吹出部１１から吹き出した媒体を収集部１２で収集するように媒体を寝床内空調系に循環させる。これによって、就寝者Ｍが布団に寝ているときの布団内の環境温度を最適にすることができる。また、このとき、寝床内に吹出部１１から吹き出した媒体を収集部１２で収集して媒体を循環させるものであるから、布団から自然に放熱されたり、人体に吸収されたりする熱エネルギを補充すればよいから省エネ効果がある。そして、就寝者Ｍの起床の状態を検出して、媒体を寝床内に吹き出す吹出部１１から寝床外のトイレ２０の方向へとつながる床面に沿って媒体を排出する第２媒体通路Ｂに切り替えるものであるから、寝床外のトイレ２０の方向への環境温度を最適にすることもできる。
よって、就寝者Ｍの安眠を維持することができ、習慣的にトイレ２０に行くタイミングには、その経路も暖冷房可能であり、しかも、省エネ可能である。
【００５９】
実施の形態１の第１媒体通路Ａにおいては、吹出部１１と収集部１２は、１００％の効率を有していないが、本発明を実施する場合には、完全な効率とすることもできる。また、第２媒体通路Ｂにおいては、バルブＶ4によって取り入れる室内空気は、再度室内空間に寝床外環境管路１８から供給されるが、ここにおいても、本発明を実施する場合には、完全な効率とすることもできる。
[実施の形態２]
【００６０】
図４は本発明の実施の形態２における寝床内温度制御装置の使用状態を示す全体の説明図、図５は本発明の実施の形態２における寝床内温度制御装置の全体構成図である。
なお、図中、上記実施の形態１と同一記号または同一符号は、上記実施の形態１と同一または相当する部分であるので、ここではその重複する説明を省略し、ここでは相違点のみ説明する。
【００６１】
図４及び図５において、ベッド１及びベッド１に設置されているマットレス２は公知の構造のものである。マットレス２の内部には、架橋ポリエチレン管等の樹脂管２００が蛇行して全面に配置されている。図示しないが、敷布団３、掛布団４は公知の形態のものが使用される。本実施の形態の寝床内温度制御装置の制御手段１０とマットレス２の内部の樹脂管２００は、コネクタを接続したフレキシブル配管１３とフレキシブル配管１４によって、バルブＶ1またはバルブＶ3に接続されている。
また、ベッド１にはマイクロホン５及び／またはＣＣＤカメラが配設されており、就寝者の睡眠状態または起きた状態を検出できるようになっている。そして、マットレス２には複数個の温度センサ６が配設されており、温度センサ６によってマットレス２内の温度の制御を行っている。
【００６２】
また、ベッド１の周囲には、簡易トイレ２０までの床面に直列接続された複数枚の暖房マット１８１，１８２，１８３が敷設されている。暖房マット１８１，１８２，１８３に対しても、寝床内温度制御装置の制御手段１０とその内部の樹脂管との間は、コネクタを接続したフレキシブル配管１８ａとフレキシブル配管１８ｂによって、バルブＶ2またはバルブＶ4に接続されている。
【００６３】
本実施の形態２の寝床内温度制御装置の制御手段１０は、次のように構成されている。
熱交換器１７の一方には、樹脂管２００の一端がフレキシブル配管１４及びバルブＶ3を介して接続されている。また、熱交換器１７の他方には、寝床の温度を加温または冷却する媒体である湯水を送出する循環ポンプ１５及びバルブＶ1、フレキシブル配管１３を介して樹脂管２００の他の端部に接続されている。ここで、バルブＶ3は樹脂管２００の流出側の開閉を行い、また、バルブＶ1は樹脂管２００の流入側の開閉を行う。これら熱交換器１７、循環ポンプ１５、バルブＶ1、フレキシブル配管１３、樹脂管２００、並びに、フレキシブル配管１４、バルブＶ3、熱交換器１７の経路は、寝床内空調系を形成し、本実施の形態の熱交換器１７で加温または冷却された媒体を寝床内に導き、寝床内の温度を調節して回収され、再度、熱交換器１７側に循環される第１媒体通路Ａを構成している。
【００６４】
また、バルブＶ3と熱交換器１７との間には、バルブＶ4を配設し、バルブＶ4を開くことによって暖房マット１８１，１８２，１８３から帰還する湯水が導入できるようになっている。また、循環ポンプ１５とバルブＶ1との間には、バルブＶ2を介して熱交換器１７で加温または冷却された湯水が、寝床外の簡易トイレを含むトイレ２０方向へとつながる床面に沿って媒体を供給する寝床外環境管路１８としての暖房マット１８１，１８２，１８３に供給されるように接続されている。
【００６５】
バルブＶ3及びバルブＶ1を閉じ、バルブＶ4及びバルブＶ2を開くことによって、湯水がバルブＶ4、熱交換器１７を介して、循環ポンプ１５で送出され、バルブＶ2を介してトイレ２０方向へとつながる床面に沿って空気を排出される寝床外環境管路１８である暖房マット１８１，１８２，１８３に加温または冷却された湯水が供給される。
これらこのバルブＶ4によって帰還する湯水を取り入れ、熱交換器１７、循環ポンプ１５、バルブＶ2によって、トイレ２０方向へとつながる床面に沿って湯水を供給する寝床外環境管路１８からなる暖房マット１８１，１８２，１８３は、本実施の形態の第２媒体通路Ｂを構成している。
【００６６】
本実施の形態でも詳細な説明を省略するが、バルブＶ3及びバルブＶ2を閉じ、バルブＶ1及びバルブＶ4を開くことによって、湯水がバルブＶ4、熱交換器１７を介して、循環ポンプ１５で送出され、バルブＶ1を介して寝床の温度を加温または冷却することができる。また、バルブＶ1及びバルブＶ4を閉じ、バルブＶ3及びバルブＶ2を開くことによって、寝床外環境管路１８の暖房マット１８１，１８２，１８３に供給する空気の温度を急激に変化させることができる。即ち、応答性をよくすることができる。
【００６７】
制御回路１９は、暖冷房機１６との間で暖房運転または冷房運転を行うかの指示を出し、かつ、その運転を行う。ベッド１に配設されたマイクロホン５及び／またはＣＣＤカメラからの信号を見て、掛布団４が捲られた状態であるかを判断し、掛布団４が捲られておれば、就寝者Ｍが起きようとしていると判断する。その判断結果に基づいて、バルブＶ3及びバルブＶ1を開、バルブＶ4及びバルブＶ2を閉とする信号、また、バルブＶ3及びバルブＶ1を閉、バルブＶ4及びバルブＶ2を開とする信号を出力する。
【００６８】
なお、本実施の形態２の寝床内温度制御装置の制御回路１９におけるマイクロコンピュータの制御は、基本的に実施の形態１と同一であるので省略する。
このように、上記実施の形態１及び実施の形態２の寝床内温度制御装置は、空気または湯水等の媒体の温度を加温または冷却する熱交換器１７と、熱交換器１７で加温または冷却された前記媒体を寝床内に導き、寝床内の温度を調節した後に回収され、再度、熱交換器１７側に循環される第１媒体通路Ａと、第１媒体通路Ａに配設された熱交換器１７を介して第１媒体通路Ａへと媒体を循環させる循環ポンプ１５と、熱交換器１７で加温または冷却された媒体は、寝床内の温度を調節する第１媒体通路Ａとは別に、寝床外のトイレ２０方向へとつながる床面に沿って媒体を供給する第２媒体通路Ｂと、寝床内の温度及び／または熱交換器１７から供給された温度を検出する温度センサ６と、温度センサ６の出力によって熱交換器１７を介して循環される前記媒体の温度を制御すると共に、就寝者Ｍの起床の状態を検出して、媒体を第１媒体通路Ａから第２媒体通路Ｂに切り替える制御手段１０とを具備するものである。
【００６９】
したがって、就寝者Ｍが布団に寝ているときには、循環ポンプ１５によって、熱交換器１７で加温または冷却された媒体を寝床内に第１媒体通路Ａで循環させる。これによって、就寝者Ｍが布団に寝ているときの布団内の環境温度を最適にすることができる。また、前記寝床内に第１媒体通路Ａで媒体を循環させるものであるから、布団から自然に放熱されたり、人体に吸収されたりする熱エネルギを補充すればよいから省エネ効果がある。そして、就寝者Ｍの起床の状態を検出して、第１媒体通路Ａから寝床外のトイレ２０の方向へとつながる床面に沿って媒体を排出する第２媒体通路Ｂに切り替えるものであるから、寝床外のトイレ２０方向への環境温度を最適にすることもできる。
よって、就寝者Ｍの安眠を維持することができ、習慣的にトイレ２０に行くタイミングには、その経路も暖冷房でき、しかも、省エネとなり、就寝者Ｍがトイレ２０に行くために起きても、用を足せば直ぐに再び睡眠に入ることができる。
即ち、夜中に用を足すためにトイレ２０に行くとき、トイレ２０までの経路を暖かい、あるいは涼しい状態とすることができるから、特に、寒さによるヒートショックによる事故を防止できる。また、５０℃以上の温風で寝床内に吹き出す場合には、ダニを退治することも可能である。
【００７０】
更に、就寝者Ｍの体調や個人差によって、一般的に適温と思われている温度でも、寒くまたは暑く感じることがある。そのため、予め、暑いと感じている時の体動や寝息、寒いと感じている時の体動や寝息から発する音を、制御回路１９に記憶しておき、マイクロホン５で検知した音と比較し、何れかの音かを判断したときには、冷暖する温度を微調整することができる。そして、夜中にトイレ２０におきることがあるが、暖かいまたは涼しい寝床内から起きてトイレ２０に行くのは眠気を覚まし、高齢者の場合は特に寒い場合、ヒートショックにより脳内出血等で死に至る場合もある。そこで、冷暖する場合、人が起き上がったこと、掛布が上げられたことを検知して、第１媒体通路Ａの寝床内空調系の制御から第２媒体通路Ｂの寝床外空調系の制御に切り替え、ベッド１からトイレ２０までの経路に沿うように配設されている寝床外環境管路１８に切り替えることによりトイレ２０までの経路を暖かく使用できるものである。
【００７１】
上記実施の形態１及び実施の形態２の寝床内温度制御装置は、所定温度に調温された媒体が循環して寝床内の温度を所定値に調整する第１媒体通路Ａと、寝床とトイレ空間との間の通路の床面に沿って配設された第２媒体通路Ｂと、寝床内の温度及び／または前記媒体の温度を検出する温度センサ６と、温度センサ６の検出結果に依拠して媒体の温度を制御すると共に、就寝者Ｍが寝床から起床したときに前記媒体を第２媒体通路Ｍに供給する制御手段１０とを具備する発明の構成とすることができる。
【００７２】
したがって、本発明を実施する場合には、就寝者Ｍが布団に寝ているときには、調温された媒体を寝床内に第１媒体通路Ａで循環させ、就寝者Ｍが布団に寝ているときの布団内の環境温度を最適にすることができる。また、このとき、前記寝床内に第１媒体通路Ａで媒体を循環させるものであるから、布団から自然に放熱されたり、人体に吸収されたりする熱エネルギを補充すればよいから省エネ効果がある。そして、就寝者Ｍの起床の状態を検出して、第１媒体通路Ａから寝床外のトイレ方向へとつながる床面に沿って媒体を供給する第２媒体通路Ｂに切り替えるものであるから、寝床外のトイレ方向への環境温度を最適にすることもできる。よって、就寝者Ｍの安眠を維持することができ、習慣的にトイレに行くタイミングには、その経路も暖冷房でき、しかも、省エネとすることができ、就寝者Ｍが再び寝床に戻って直ぐに睡眠に入ることができる。
【００７３】
また、本発明を実施する場合の制御回路１９は、就寝者Ｍの睡眠の状態を検出して、寝床内の温度を生理学的な環境として調整するものであるから、人間の生理学的特性に合致した温度制御が可能となる。就寝者Ｍの睡眠の状態を検出して、寝床内の温度を生理学的な環境として調整するものであるから、人間の生理学的特性に合致した温度制御が可能となり、生活のリズムを狂わせることがない。
そして、制御回路１９による就寝者Ｍの起床状態の検出は、寝床に配設された複数の温度センサ６のばらつき及び／または温度差によって行うことにより、コスト的に廉価な処理を行うことができ、また、当該温度センサ６を寝具に装着しても違和感のない状態に設定できる。そして、制御回路１９による就寝者Ｍの起床状態の検出は、寝床の就寝者Ｍの状態の画像によって行うものであるから、寝床の状態を正確に検出することができる。
【００７４】
そして、本発明を実施する場合の制御回路１９による就寝者Ｍの起床状態の検出は、寝床に配設された複数の温度センサ６のばらつき及び／または温度差並びに寝床の就寝者Ｍの状態の画像によって行うものであるから複数の温度センサ６及び就寝者Ｍの状態の画像によって起床状態を判断するものであるから、信頼性の高い検出を行うことができる。
また、制御回路１９は、就寝者Ｍが寝床から起床したときに媒体を第２媒体通路Ｂに供給すると同時に媒体が第１媒体通路Ａを循環するのを停止するものであるから、無駄な調温を行うことなく制御を行うことができる。また、就寝者Ｍの起床の温度を低下させることなく、寝床外のトイレ２０方向へ環境温度を最適にすることもできる。
更に、本発明を実施する場合の調温された媒体は、空気または水としたものでは、特殊な媒体を使用するものでないので、環境汚染することがない。
【００７５】
加えて、本発明を実施する場合の第１媒体通路Ａは、調温された媒体を通す合成樹脂管がマットレスの内部を蛇行して配置されているものであるから、請求項１乃至請求項７のいずれか１つに記載の効果に加えて、任意の面積を効率よく調温することができる。また、第１媒体通路Ａは、調温された媒体が掛布団の袋体から吹き出すものであるから、掛布団が自然な使用状態で使用でき、かつ、吹き出す空気圧によって、掛布団の重みが実質的に軽量化されるから、老人及び病人にとって好適な構成となる。そして、第２媒体通路Ｂは、調温された暖房マット１８１，１８２，１８３としたものであるから、施工状態において違和感のない状態となり、来客があっても不自然さを訴えるものがない。
【００７６】
ところで、上記実施の形態の寝床内温度制御装置の制御回路１９は、就寝者Ｍの睡眠の状態を検出して、寝床内の温度を生理学的な環境として調整するものであるから、人間の生理学的特性に合致した温度制御が可能となり、生活のリズムを狂わせることがない。
【００７７】
上記実施の形態の寝床内温度制御装置の制御回路１９は、第２媒体通路Ｂによって寝床外のトイレ２０の方向へとつながる床面に沿って媒体を供給するときには、第１媒体通路Ａを介すことなく、第２媒体通路Ｂを使用するものであるから、就寝者Ｍの起床の状態を検出して、第１媒体通路Ａから寝床外のトイレ２０の方向へとつながる第２媒体通路Ｂに切り替えるものであるから、就寝者Ｍの起床の温度を低下させることなく、寝床外のトイレ２０の方向へ環境温度を最適にすることができる。
【００７８】
上記実施の形態の寝床内温度制御装置の制御手段１９は、第１媒体通路Ａに介設されたポンプ１５及び媒体と熱交換機１７によって熱交換することにより媒体の温度を調温する暖冷房機１６と、ポンプ１５及び暖冷房機１６の下流側に配設されたバルブＶ1等の電磁弁とを備え、就寝者Ｍの起床時に第１媒体通路Ａから第２媒体通路Ｂへの媒体の供給切り換えを、バルブＶ1等の電磁弁によって行うものであるから、就寝者Ｍの起床からトイレ２０に向かうまでのタイムラグを使用して効率のよい、調温制御を行うことができる。なお、上記実施の形態では、バルブＶ1を電磁弁で構成したものであるが、暖房または冷房の切り換えをマニュアルで行うこともでき、
【００７９】
上記実施の形態の寝床内温度制御装置の第１媒体通路Ａと第２媒体通路Ｂの切り換えは、第１媒体通路Ａ内にてポンプ１５及び暖冷房機１６の下流側に配設されたバルブＶ1と、ポンプ１５及び暖冷房機１６の下流側で、バルブＶ1との間の第２媒体通路Ｂの一端に配設されたバルブＶ2によって行うものであるから、その切り換えのタイミングを任意に設定することができる。
【００８０】
上記実施の形態の寝床内温度制御装置のバルブＶ1とバルブＶ1は、媒体が第１媒体通路Ａと第２媒体通路Ｂを同時に循環しないようにしたものであるから、無駄な温度調節を行わないから、エネルギ効率のよい運転が可能である。
【００８１】
上記実施の形態の寝床内温度制御装置の前記制御手段１０は、第１媒体通路Ａに介設されたポンプ１５及び媒体と熱交換器１７で熱交換することにより媒体の温度を調温する暖冷房機１６と、ポンプ１５及び暖冷房機１６の上流側に配設されたバルブＶ3、バルブＶ4等の電磁弁とを備え、就寝者Ｍの起床時に第１媒体通路Ａから第２媒体通路Ｂへの前記媒体の供給切り換えを、バルブＶ3、バルブＶ4等の電磁弁によって行うものであるから、就寝者Ｍの起床からトイレ２０に向かうまでの準備に要するタイムラグを使用して効率のよい、調温制御を行うことができる。
【００８２】
上記実施の形態の寝床内温度制御装置の第１媒体通路Ａと第２媒体通路Ｂの切り換えは、第１媒体通路Ａ内にてポンプ１５及び暖冷房機１６の上流側に配設されたバルブＶ3と、ポンプ１５及び暖冷房機１６の上流側で、前記バルブＶ3との間の第２媒体通路Ｂの一端に配設されたバルブＶ4によって行うものであるから、その切り換えのタイミングを任意に設定することができる。
【００８３】
上記実施の形態の寝床内温度制御装置のバルブＶ1とバルブＶ2は、媒体が第１媒体通路Ａと第２媒体通路Ｂを同時に循環しないようにしたものであるから、エネルギ効率のよい運転が可能である。
なお、上記実施の形態では、バルブＶ1，Ｖ2，Ｖ3，Ｖ4を電磁弁で構成したものであるが、本発明を実施する場合には、暖房または冷房の切り換えをマニュアルで行うこともでき、このときはマニュアルの開閉弁とすることができる。勿論、空気圧、油圧で開閉するバルブとすることもできる。
また、バルブＶ1とバルブＶ2、バルブＶ3とバルブＶ4とは、切り換えを行うものであるから、切換弁とすることもできる。また、バルブＶ1とバルブＶ2、バルブＶ3とバルブＶ4は、対で使用するものであり、専用のバルブとすることができるから、電磁弁装置として捉えることができる。
【図面の簡単な説明】
【００８４】
【図１】図１は本発明の実施の形態１における寝床内温度制御装置の使用状態を示す全体の説明図である。
【図２】図２は本発明の実施の形態１における寝床内温度制御装置の全体構成図である。
【図３】図３は本発明の実施の形態１における寝床内温度制御装置の制御回路が制御するフローチャートである。
【図４】図４は本発明の実施の形態２における寝床内温度制御装置の使用状態を示す全体の説明図である。
【図５】図５は本発明の実施の形態２における寝床内温度制御装置の全体構成図である。
【符号の説明】
【００８５】
Ａ      第１媒体通路
Ｂ      第２媒体通路
Ｍ      就寝者
１      ベッド
２      マットレス（寝床）
３      敷布団（寝床）
４      掛布団（寝床）
６      温度センサ
１０      制御手段
１１      吹出部
１２      収集部
１５      循環ポンプ
１６      暖冷房機
１７      熱交換器
１８      寝床外環境管路
１９      制御回路
２０      トイレ（トイレ空間）
Ｖ1，Ｖ2，Ｖ3，Ｖ4，      バルブ（電磁弁）
【図１】
2007244782.tif 000003
【図２】
2007244782.tif 000004
【図３】
2007244782.tif 000005
【図４】
2007244782.tif 000006
【図５】
2007244782.tif 000007